(57)【要約】  本発明のユーザ端末は、上りデータ及び上り制御情報をスロット単位で送信する送信部と、時分割複信（ＴＤＤ：Time  division  duplex）の下りリンク（ＤＬ）／上りリンク（ＵＬ）割り当て構成と、上りデータ送信に指定される複数スロット及び上り制御情報送信に指定される複数スロットの関係と、に基づいて、上りデータのチャネルを介した上り制御情報の送信を制御する制御部とを有する。
2019155641.tif 000002
【特許請求の範囲】
【請求項１】
上りデータ及び上り制御情報をスロット単位で送信する送信部と、
時分割複信（ＴＤＤ：Time  division  duplex）の下りリンク（ＤＬ）／上りリンク（ＵＬ）割り当て構成と、上りデータ送信に指定される複数スロット及び上り制御情報送信に指定される複数スロットの関係と、に基づいて、上りデータのチャネルを介した上り制御情報の送信を制御する制御部と、を有するユーザ端末。
【請求項２】
前記制御部は、前記上りデータ送信に指定される複数スロットと、前記上り制御情報送信に指定される複数スロットにおいて、一致したスロットが前記ＤＬ／ＵＬ割り当て構成におけるＵＬに対応する場合、前記一致したスロットにおいて、前記上りデータのチャネルを介して前記上り制御情報を送信することを特徴とする請求項１に記載のユーザ端末。
【請求項３】
前記制御部は、前記一致したスロットが、前記ＤＬ／ＵＬ割り当て構成におけるＵＬに対応しない場合、前記一致したスロット以降のスロットであって、前記ＤＬ／ＵＬ割り当て構成におけるＵＬに対応するスロットで、前記一致したスロットにおける上り制御情報を送信することを特徴とする請求項１又は請求項２に記載のユーザ端末。
【請求項４】
前記制御部は、前記一致したスロットが、前記ＤＬ／ＵＬ割り当て構成におけるＵＬに対応しない場合、前記一致したスロット以降のスロットで前記上り制御情報を送信しないことを特徴とする請求項１又は請求項２に記載のユーザ端末。
【請求項５】
前記制御部は、前記上りデータ送信に指定される複数スロットの内の開始スロットと、前記上り制御情報送信に指定される複数スロット内の開始スロットとが一致しない場合、前記上りデータ及び前記上り制御情報のいずれか一方の送信のみを行うこと特徴とする請求項１から請求項４のいずれか一項に記載のユーザ端末。
【請求項６】
上りデータ及び上り制御情報をスロット単位で送信する工程と、
時分割複信（ＴＤＤ：Time  division  duplex）の下りリンク（ＤＬ）／上りリンク（ＵＬ）割り当て構成と、上りデータ送信に指定される複数スロット及び上り制御情報送信に指定される複数スロットの関係と、に基づいて、上りデータのチャネルを介した上り制御情報の送信を制御する工程とを有する、ユーザ端末の無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）等ともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
また、既存のＬＴＥシステム（例えば、ＬＴＥ  Ｒｅｌ．８−１３）では、ユーザ端末は、上り制御チャネル（例えば、ＰＵＣＣＨ：Physical  Uplink  Control  Channel）又は上り共有チャネル（例えば、ＰＵＳＣＨ：Physical  Uplink  Shared  Channel）を用いて、上り制御情報（ＵＣＩ：Uplink  Control  Information）を送信する。当該上り制御チャネルの構成（フォーマット）は、ＰＵＣＣＨフォーマット等と呼ばれる。【０００５】
ＵＣＩは、スケジューリング要求（ＳＲ：Scheduling  Request）、ＤＬデータ（ＤＬデータチャネル（例えば、ＰＤＳＣＨ：Physical  Downlink  Shared  Channel））に対する再送制御情報（ＨＡＲＱ−ＡＣＫ：Hybrid  Automatic  Repeat  reQuest−Acknowledge、ＡＣＫ又はＮＡＣＫ（Negative  ＡＣＫ））、チャネル状態情報（ＣＳＩ：Channel  State  Information）の少なくとも一つを含む。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＬＴＥ  Ｒｅｌ．１４以降、５Ｇ又はＮＲなど）では、データチャネル（ＤＬデータチャネル及び／又はＵＬデータチャネルを含む、単にデータ等ともいう）、及び／又は、制御チャネル（ＤＬ制御チャネル及び／又はＵＬ制御チャネル）のスケジューリングを柔軟に制御することが検討されている。【０００８】
ところで、既存のＬＴＥシステムでは、上りデータ（ＵＬデータ）の送信と、上り制御情報（ＵＣＩ）の送信タイミングが重複する場合、上り共有チャネル（ＰＵＳＣＨ）を用いてＵＬデータとＵＣＩの送信を行う（ＵＣＩ  ｏｎ  ＰＵＳＣＨ）。将来の無線通信システムにおいても、既存のＬＴＥシステムと同様にＰＵＳＣＨを利用したＵＬデータとＵＣＩ（Ａ／Ｎ等）送信を行うことが考えられる。【０００９】
しかしながら、データチャネル及び／又は制御チャネルを柔軟にスケジューリングするとともに、どのようにＵＣＩ  ｏｎ  ＰＵＳＣＨ行うかという問題がある。【００１０】
本発明はかかる点に鑑みてなされたものであり、将来の無線通信システムにおいて、データチャネル及び／又は制御チャネルが柔軟にスケジューリングされる場合であっても、上り共有チャネルを利用した上りデータ及び上り制御情報の送信（ＵＣＩ  ｏｎ  ＰＵＳＣＨ）を適切に行うことを目的の一つとする。
【課題を解決するための手段】
【００１１】
ユーザ端末の一態様は、上りデータ及び上り制御情報をスロット単位で送信する送信部と、時分割複信（ＴＤＤ：Time  division  duplex）の下りリンク（ＤＬ）／上りリンク（ＵＬ）割り当て構成と、上りデータ送信に指定される複数スロット及び上り制御情報送信に指定される複数スロットの関係と、に基づいて、上りデータのチャネルを介した上り制御情報の送信を制御する制御部とを有する。
【発明の効果】
【００１２】
本発明によれば、データチャネル及び／又は制御チャネルを柔軟にスケジューリングされる場合であっても、上り共有チャネルを利用した上りデータ及び上り制御情報の送信（ＵＣＩ  ｏｎ  ＰＵＳＣＨ）を適切に行うことができる。
【図面の簡単な説明】
【００１３】
【図１】図１は、ＰＵＳＣＨにおけるマルチスロットスケジューリングの例を示す図である。
【図２】図２は、ＴＤＤにおけるＰＵＣＣＨ及びＰＵＳＣＨのマルチスロットスケジューリングのルールを説明するための図である。
【図３】図３は、ＴＤＤ及びマルチスロットスケジューリングが適用された場合の、ＵＣＩ  ｏｎ  ＰＵＳＣＨの実行を説明するための図である。
【図４】図４Ａ、図４Ｂ、図４Ｃは、１スロットにおけるＰＵＣＣＨ及びＰＵＳＣＨの配置構成（スロット構成）を説明するための図である。
【図５】図５Ａ、図５Ｂ、図５Ｃは、１スロットにおけるＰＵＣＣＨ及びＰＵＳＣＨの配置構成（スロット構成）を説明するための図である。
【図６】図６は、第１の態様のケース１−１における、ＵＣＩ  ｏｎ  ＰＵＳＣＨ制御を説明するための図である。
【図７】図７は、第１の態様のケース１−２における、ＵＣＩ  ｏｎ  ＰＵＳＣＨ制御を説明するための図である。
【図８】図８は、第１の態様のケース１−２における、ＵＣＩ  ｏｎ  ＰＵＳＣＨ制御を説明するための図である。
【図９】図９は、第２の態様のケース２−１における、ＵＣＩ  ｏｎ  ＰＵＳＣＨ制御を説明するための図である。
【図１０】図１０は、第２の態様のケース２−１ｂにおける、ＵＣＩ  ｏｎ  ＰＵＳＣＨ制御を説明するための図である。
【図１１】図１１は、第２の態様のケース２−１ｃにおける、ＵＣＩ  ｏｎ  ＰＵＳＣＨ制御を説明するための図である。
【図１２】図１２は、第２の態様のケース２−２における、ＵＣＩ  ｏｎ  ＰＵＳＣＨ制御を説明するための図である。
【図１３】図１３は、第２の態様のケース２−２ｂにおける、ＵＣＩ  ｏｎ  ＰＵＳＣＨ制御を説明するための図である。
【図１４】図１４は、第２の態様のケース２−２ｃにおける、ＵＣＩ  ｏｎ  ＰＵＳＣＨ制御を説明するための図である。
【図１５】図１５は、第３の態様のロングＰＵＣＣＨとショートＰＵＳＣＨとの重複を説明するための図である。
【図１６】図１６は、第３の態様における、ＵＣＩ  ｏｎ  ＰＵＳＣＨ制御を説明するための図である。
【図１７】図１７は、第３の態様における、ＵＣＩ  ｏｎ  ＰＵＳＣＨ制御を説明するための図である。
【図１８】本実施の形態に係る無線通信システムの概略構成の一例を示す図である。
【図１９】本実施の形態に係る無線基地局の全体構成の一例を示す図である。
【図２０】本実施の形態に係る無線基地局の機能構成の一例を示す図である。
【図２１】本実施の形態に係るユーザ端末の全体構成の一例を示す図である。
【図２２】本実施の形態に係るユーザ端末の機能構成の一例を示す図である。
【図２３】本実施の形態に係る無線基地局及びユーザ端末のハードウェア構成の一例を示す図である。
【発明を実施するための形態】
【００１４】
将来の無線通信システム（例えば、ＬＴＥ  Ｒｅｌ．１４以降、５Ｇ又はＮＲなど）では、データチャネル（ＤＬデータチャネル及び／又はＵＬデータチャネルを含む、単にデータ等ともいう）のスケジューリング単位として、時間長を変更可能な時間単位（例えば、スロット、ミニスロット及び所定数のシンボルの少なくとも一つ）を利用することが検討されている。
【００１５】
ここで、スロットは、ユーザ端末が適用するニューメロロジー（例えば、サブキャリア間隔及び／又はシンボル長）に基づく時間単位である。１スロットあたりのシンボル数は、サブキャリア間隔に応じて定められてもよい。例えば、サブキャリア間隔が１５ｋＨｚ又は３０ｋＨｚである場合、当該１スロットあたりのシンボル数は、７又は１４シンボルであってもよい。一方、サブキャリア間隔が６０ｋＨｚ以上の場合、１スロットあたりのシンボル数は、１４シンボルであってもよい。
【００１６】
サブキャリア間隔とシンボル長とは逆数の関係にある。このため、スロットあたりのシンボルが同一であれば、サブキャリア間隔が高く（広く）なるほどスロット長は短くなる。一方、サブキャリア間隔が低く（狭く）なるほどスロット長は長くなる。
【００１７】
また、ミニスロットは、スロットよりも短い時間単位である。ミニスロットは、スロットよりも少ない数のシンボル（例えば、１〜（スロット長−１）シンボル、一例として２又は３シンボル）で構成されてもよい。スロット内のミニスロットには、スロットと同一のニューメロロジー（例えば、サブキャリア間隔及び／又はシンボル長）が適用されてもよいし、スロットとは異なるニューメロロジー（例えば、スロットよりも高いサブキャリア間隔及び／又はスロットより短いシンボル長）が適用されてもよい。
【００１８】
例えばミニスロットは、２、４、または７シンボルで構成され、スタートシンボル位置を柔軟に設定することができるＰＤＳＣＨまたはＰＵＳＣＨとしてもよい。一方、ミニスロットではないＰＤＳＣＨは、スタートシンボル位置がスロット内の第０〜３シンボルであり、所定のシンボル長以上のＰＤＳＣＨであるとしてもよい。また、ミニスロットではないＰＵＳＣＨは、スタートシンボル位置がスロット内の第０シンボルであり、所定のシンボル長以上のＰＵＳＣＨであるとしてもよい。
【００１９】
ミニスロットではないＰＤＳＣＨおよびＰＵＳＣＨは、ＰＤＳＣＨ／ＰＵＳＣＨマッピングタイプＡ、ミニスロットのＰＤＳＣＨおよびＰＵＳＣＨは、ＰＤＳＣＨ／ＰＵＳＣＨマッピングタイプＢと呼ばれてもよい。また、ＰＤＳＣＨ／ＰＵＳＣＨのマッピングタイプに応じて、異なる位置にＤＭＲＳが挿入されるものとしてもよい。さらに、いずれのマッピングタイプのＰＤＳＣＨ／ＰＵＳＣＨとするかは、ＲＲＣ等上位レイヤシグナリングによって設定されるものとしてもよいし、ＤＣＩによって通知されるものとしてもよいし、両者の組み合わせによって認識されるものとしてもよい。
【００２０】
将来の無線通信システムでは、既存のＬＴＥシステムと異なる時間単位の導入に伴い、データ等のスケジューリングに複数の時間単位を適用して信号及び／又はチャネルの送受信（又は、割当て等）を制御することが想定される。異なる時間単位を用いてデータ等のスケジューリングを行う場合、データの送信期間／送信タイミング等が複数生じることが考えられる。例えば、複数の時間単位をサポートするユーザ端末は、異なる時間単位でスケジューリングされるデータの送受信を行う。
【００２１】
一例として、第１の時間単位（例えば、スロット単位）のスケジューリング（slot-based  scheduling）と、第１の時間単位より短い第２の時間単位（例えば、非スロット単位）のスケジューリング（non-slot-based  scheduling）を適用することが考えられる。非スロット単位は、ミニスロット単位又はシンボル単位としてもよい。なお、スロットは、例えば７シンボル又は１４シンボルで構成され、ミニスロットは１〜（スロット長−１）シンボルで構成することができる。
【００２２】
また、データのスケジューリング単位に応じて、時間方向におけるデータの送信タイミング／送信期間を柔軟に制御することが検討されている。例えば、スロット単位でスケジューリングする場合、１スロットに１つのデータ（例えば、ＰＵＳＣＨ）が割当てる構成に加えて、複数のスロットにＰＵＳＣＨを割当てる構成も考えられる（図１参照）。複数のスロットにＰＵＳＣＨの割当てを行う構成は、ＰＵＳＣＨのマルチスロットスケジューリング（Multi-slot  scheduling）、又は、ＰＵＳＣＨのマルチスロット送信とも呼ばれる。図１では、Ｋ個のスロットにわたってＰＵＳＣＨがスケジューリングされる場合を示している。
【００２３】
また、ＰＵＣＣＨについても、マルチスロットスケジューリングを用いる構成が検討されている。例えば、スロット単位でスケジューリングする場合、複数のスロットにＰＵＣＣＨが割り当てられる。複数のスロットにＰＵＣＣＨの割り当てを行う構成は、ＰＵＣＣＨのマルチスロットスケジューリング、又は、ＰＵＣＣＨのマルチスロット送信とも呼ばれる。
【００２４】
一方、将来の無線通信システム（例えば、ＬＴＥ  Ｒｅｌ．１５〜、５Ｇ、ＮＲなど）では、ＵＣＩの送信に用いられる上り制御チャネル（例えば、ＰＵＣＣＨ）用の構成（フォーマット、ＰＵＣＣＨフォーマット（ＰＦ）等ともいう）が検討されている。例えば、ＬＴＥ  Ｒｅｌ．１５では、５種類のＰＦ０〜４をサポートすることが検討されている。なお、以下に示すＰＦの名称は例示にすぎず、異なる名称が用いられてもよい。
【００２５】
例えば、ＰＦ０及び１は、２ビット以下（up  to  2  bits）のＵＣＩ（例えば、送達確認情報（ＨＡＲＱ−ＡＣＫ：Hybrid  Automatic  Repeat  reQuest−Acknowledge、ＡＣＫ又はＮＡＣＫ等ともいう）の送信に用いられるＰＦである。ＰＦ０は、１又は２シンボルに割り当て可能であるため、ショートＰＵＣＣＨ又はシーケンスベース（sequence-based）ショートＰＵＣＣＨ等とも呼ばれる。一方、ＰＦ１は、４−１４シンボルに割り当て可能であるため、ロングＰＵＣＣＨ等とも呼ばれる。ＰＦ１では、巡回シフト（ＣＳ：Cyclic  Shift）及び直交拡散符号（例えば、ＯＣＣ（Orthogonal  Cover  Code））の少なくとも一つを用いた時間領域のブロック拡散により、同一のリソースブロック（物理リソースブロック（ＰＲＢ：Physical  Resource  Block））内で複数のユーザ端末が符号分割多重（ＣＤＭ）されてもよい。
【００２６】
ＰＦ２−４は、２ビットを超える（more  than  2  bits）ＵＣＩ（例えば、チャネル状態情報（ＣＳＩ：Channel  State  Information）（又は、ＣＳＩとＨＡＲＱ−ＡＣＫ及び／又はスケジューリング要求（ＳＲ）））の送信に用いられるＰＦである。ＰＦ２は、１又は２シンボルに割り当て可能であるため、ショートＰＵＣＣＨ等とも呼ばれる。一方、ＰＦ３、４は、４−１４シンボルに割り当て可能であるため、ロングＰＵＣＣＨ等とも呼ばれる。ＰＦ４では、ＤＦＴ前の（周波数領域）のブロック拡散を用いて複数のユーザ端末がＣＤＭされてもよい。
【００２７】
当該上り制御チャネルの送信に用いられるリソース（例えば、ＰＵＣＣＨリソース）の割り当て（allocation）は、上位レイヤシグナリング及び／又は下り制御情報（ＤＣＩ）を用いて行われる。ここで、上位レイヤシグナリングは、例えば、ＲＲＣ（Radio  Resource  Control）シグナリング、システム情報（例えば、ＲＭＳＩ：Remaining  Minimum  System  Information、ＯＳＩ：Other  system  information、ＭＩＢ：Master  Information  Block、ＳＩＢ：System  Information  Blockの少なくとも一つ）、ブロードキャスト情報（ＰＢＣＨ：Physical  Broadcast  Channel）の少なくとも一つであればよい。
【００２８】
また、送信タイミング／送信期間が可変に制御されるデータ（例えば、ＰＤＳＣＨ及び／又はＰＵＳＣＨ）と同様に、当該データに対するＵＣＩ（例えば、Ａ／Ｎ）も送信毎に送信タイミング／送信期間を変更可能な構成とすることが想定される。例えば、基地局が、下り制御情報及び／又は上位レイヤシグナリング等を利用してＵＣＩの送信タイミング／送信期間をＵＥに指定する。この場合、Ａ／Ｎフィードバックタイミングは、当該Ａ／Ｎの送信タイミング／送信期間を通知する下り制御情報及び／又は対応するＰＤＳＣＨより後の期間においてフレキシブルに設定される。
【００２９】
このように、将来の無線通信システムでは、ＤＬデータに対するＡ／Ｎの送信タイミング／送信期間と、ＰＵＳＣＨの送信タイミング／送信期間の一方又は両方を柔軟に設定することが想定される。一方で、ＵＬ伝送では、低いＰＡＰＲ（Peak-to-Average  Power  Patio）及び／又は低い相互変調歪（ＩＭＤ：inter-modulation  distortion）を達成することも要求される。
【００３０】
ＵＬ伝送において低ＰＡＰＲ及び／又は低ＩＭＤを達成する方法として、ＵＣＩ送信とＵＬデータ（ＵＬ−ＳＣＨ）送信が同じタイミングで生じた場合、ＵＣＩとＵＬデータをＰＵＳＣＨに多重して送信する方法（UCI  piggyback  on  PUSCH、UCI  on  PUSCHとも呼ぶ）がある。
【００３１】
将来の無線通信システムでも、既存のＬＴＥシステムと同様にＵＣＩ  ｏｎ  ＰＵＳＣＨを行うことが考えられる。しかし、ＰＵＳＣＨの割当てが複数スロットにわたってスケジューリングされる（マルチスロットスケジューリング）場合、ＵＣＩの多重（例えば、ＵＣＩ  ｏｎ  ＰＵＳＣＨ）をどのように制御するかが問題となる。
【００３２】
また、将来の無線通信システムでは、マルチスロットスケジューリングの適用とともに、時分割複信（ＴＤＤ：Time  division  duplex）を適用することも検討されている。ＴＤＤは既存のＬＴＥシステムにおいても適用されており、上りリンクと下りリンクとが異なるスロット（時間スロット）の同一周波数帯域を用いて通信が行われる。すなわち、ＴＤＤでは、上りリンクと下りリンクとが同一周波数帯域で時分割多重される。
【００３３】
既存の無線通信システムに適用されるＴＤＤでは、「特別なサブフレーム（Special  Subframe）」において発生する下りリンクと上りリンク間の切り替えを伴って、いくつかのサブフレームが上りリンク伝送に割り当てられ、いくつかのサブフレームが下りリンク伝送に割り当てられる。このような上りリンク伝送及び下りリンク伝送へのサブフレームの割り当て構成は、下りリンク（ＤＬ）／上りリンク（ＵＬ）構成（configuration）として、複数の構成が規定されている。ＤＬ／ＵＬ割り当て構成（ＤＬ／ＵＬ構成）は、セル固有（すなわちセル内のＵＥが共通に受信するチャネル）またはＵＥ個別の上位レイヤシグナリングで準静的に設定することができる。
【００３４】
規定されたＤＬ／ＵＬ割り当て構成のいくつかには、上記特別なサブフレームが含まれる。特別なサブフレームは、下りリンク部（DwPTS：下りリンクパイロット時間スロット）、ガード区間（ＧＰ）、上りリンク部（UpPTS:上りリンクパイロット時間スロット）の３つの部分に分割される。下りリンク部は、標準のサブフレームと比較して、サブフレーム長が削減されるため、送信できるデータ量が少なくなる。
【００３５】
上述のＴＤＤを、将来の無線通信システムに適用する場合、上記「サブフレーム」を「スロット」と読み替えてもよい。また、ＴＤＤとマルチスロットスケジューリングとを無線通信システムに適用する場合、以下のルール（ユーザ端末における動作の規定、条件、制約）が検討されている。
【００３６】
先ず、ＰＵＣＣＨのマルチスロットスケジューリングのルールについて図２を参照して説明する。ＰＵＣＣＨについて、スロット＃０を開始スロットとして、Ｋｃスロット（Ｋｃは４以上）のマルチスロットスケジューリングが設定されていると仮定する。なお、Ｋｃとして設定できる値は１、２、４、８とする。Ｋｃの値はＲＲＣシグナリングによって設定される。
【００３７】
スロット＃０以降、Ｋｃスロット区間でＰＵＣＣＨ送信が行える場合（例えばＫｃスロットすべてがＵＬスロットである場合）、ユーザ端末は、スロット＃０におけるＰＵＣＣＨ送信の開始シンボル、シンボル数、ＰＲＢ位置、ＰＵＣＣＨフォーマットなどを決定し、スロット＃０で送信を行う。また、スロット＃０と同じ開始シンボル、シンボル数、ＰＵＣＣＨフォーマットなどで、Ｋｃスロット区間でマルチスロット送信を行う。
【００３８】
スロット＃１以降のＰＲＢ位置は、周波数ホッピング有無やその設定に応じて変わり得る。すなわち、スロット間の周波数ホッピングが設定されている場合、スロット＃１ではスロット＃０と異なるＰＲＢでＰＵＣＣＨ送信を行う。
【００３９】
さらに、ＤＬ／ＵＬ割り当て構成については、同図に示されるように、時系列に連続するスロット＃０−＃５において、スロット＃０、＃１、＃４、＃５には上りリンク伝送が割り当てられている。スロット＃２には下りリンク伝送が割り当てられている。スロット＃３は、特別スロット（上述の特別サブフレームを特別スロットに読み替え）に設定されている。
【００４０】
ＰＵＣＣＨ送信にあたって、スロット＃０から開始された上りリンク伝送はスロット＃１まで継続される。その後、下りリンク伝送が割り当てられているスロット＃２では、ＰＵＣＣＨの送信は行われない。特別スロットに対応するスロット＃３では、当該スロット内で設定されたＰＵＣＣＨ送信シンボルの少なくとも一部が当該スロット内のＤＬシンボルになっていた場合、ＰＵＣＣＨの送信は行われない。そして、スロット＃４、＃５で、スロット＃２で中断されていたＰＵＣＣＨ送信が再開される。
【００４１】
このように、ＰＵＣＣＨのマルチスロットスケジューリングでは、上りリンク伝送が割り当てられていないスロット（下りリンク伝送が割り当てられたスロット）又はスロット内で設定されたＰＵＣＣＨ送信シンボルの少なくとも一部が当該スロット内でＵＬ送信を行えないシンボル（例えばＤＬシンボル）と設定されていることにより、ＰＵＣＣＨの送信が中断した場合であっても、その後のＰＵＣＣＨ送信が可能なスロットにおいてＰＵＣＣＨの送信を再開し、指定されたＫｃスロット分のＰＵＣＣＨの送信を行う。
【００４２】
次に、ＰＵＳＣＨのマルチスロットスケジューリングのルールについて図２を参照して説明する。ＰＵＳＣＨについて、スロット＃０を開始スロットとして、Ｋｄスロット（Ｋｄは３以上）のマルチスロットスケジューリングが設定されていると仮定する。なお、Ｋｄとして設定できる値は１、２、４、８とする。Ｋｄの値はＲＲＣシグナリングによって設定される。
【００４３】
スロット＃０以降、Ｋｄスロット区間でＰＵＳＣＨ送信が行える場合（例えばＫｄスロットすべてがＵＬスロットである場合）、ユーザ端末は、スロット＃０におけるＰＵＳＣＨ送信の開始シンボル、シンボル数、ＰＲＢ位置、トランスポートブロックサイズ、変調方式、ＤＭＲＳのパターンなどを決定し、スロット＃０で送信を行う。また、スロット＃０と同じ開始シンボル、シンボル数、トランスポートブロックサイズ、変調方式、ＤＭＲＳのパターンなどで、Ｋｄスロット区間でマルチスロット送信を行う。
【００４４】
スロット＃１以降のＰＲＢ位置は、周波数ホッピング有無やその設定に応じて変わり得る。すなわち、スロット間の周波数ホッピングが設定されている場合、スロット＃１ではスロット＃０と異なるＰＲＢでＰＵＳＣＨ送信を行う。ＤＬ／ＵＬ割り当て構成については、上述のＰＵＣＣＨの場合と同様であるため説明は省略する。
【００４５】
ＰＵＳＣＨ送信にあたって、スロット＃０から開始された上りリンク伝送はスロット＃１まで継続される。その後、スロット＃２には、下りリンク伝送が割り当てられているため、上りリンク伝送を行うことができず、連続するＰＵＳＣＨ送信が中断される。ＰＵＳＣＨ送信では、このように連続送信が中断されると、その時点で以降のＰＵＳＣＨ送信は行われない（キャンセルされる）。例えば、上りリンク伝送が割り当てられているスロット＃４において、ＰＵＳＣＨ送信が再開されない。
【００４６】
なお、このようなＰＵＳＣＨ送信のルールは、ＰＤＳＣＨ送信にも適用することが検討されている。
【００４７】
上述のように、ＴＤＤにおけるＰＵＣＣＨ送信とＰＵＳＣＨ送信とでは、ユーザ端末の動作が異なってルール（規定）される。このため、ＴＤＤにおいて、ＵＣＩ  ｏｎ  ＰＵＳＣＨを行う場合、いくつかの検討事項が発生する（図３参照）。
【００４８】
ＰＵＣＣＨ及びＰＵＳＣＨのマルチスロットスケジューリングにおいて、Ｋｃ＝ＫｄかつすべてのスロットでＰＵＣＣＨとＰＵＳＣＨが重複している場合、ＰＵＣＣＨとＰＵＳＣＨの同時送信となることを避けるために、前記ＰＵＣＣＨとＰＵＳＣＨが重複しているスロット全てで、ＵＣＩ  ｏｎ  ＰＵＳＣＨを行うことが考えられる。しかしながら、ＴＤＤでは、上りリンク伝送が割り当てられたスロット（例えば、図３のスロット＃２）により送信が中断することが考えられる。
【００４９】
中断以降、ＰＵＣＣＨ送信であれば上りリンク伝送が割り当てられたスロットを用いて送信が再開されるが、ＰＵＳＣＨ送信であれば送信再開は行われない。このため、ＵＣＩ  ｏｎ  ＰＵＳＣＨをどのように行うかといった点を検討する必要がある。
【００５０】
本願発明者等はこのような点を鑑み、ＤＬ／ＵＬ割り当て構成と、マルチスロットスケジューリングで指定されるＰＵＣＣＨ及びＰＵＳＣＨそれぞれの連続スロットの関係と、の少なくとも一方に基づいて、ＵＣＩ  ｏｎ  ＰＵＳＣＨを制御することを着想した。これにより、ＴＤＤ及びマルチスロットスケジューリングが適用される場合であっても、ＵＣＩ  ｏｎ  ＰＵＳＣＨを適切に行うことができる。
【００５１】
以下、本実施の形態について詳細に説明する。以下の実施の態様は単独で適用してもよいし、組み合わせて適用してもよい。なお、本実施の形態において、ＵＣＩは、スケジューリング要求（ＳＲ：Scheduling  Request）、ＤＬデータチャネル（例えば、ＰＤＳＣＨ：Physical  Downlink  Shared  Channel））に対する送達確認情報（ＨＡＲＱ−ＡＣＫ：Hybrid  Automatic  Repeat  reQuest−Acknowledge、ＡＣＫ又はＮＡＣＫ（Negative  ＡＣＫ）又はＡ／Ｎ等ともいう）、ＣＱＩ：Channel  Quality  Indicator）、ランク情報（ＲＩ：Rank  Indicator）を含むチャネル状態情報（ＣＳＩ：Channel  State  Information）、ビームインデックス情報（ＢＩ：Beam  Index）、バッファステータスレポート（ＢＳＲ：Buffer  Status  Report）の少なくとも一つを含んでもよい。
【００５２】
以下の説明では、スロット単位でスケジューリングを行う場合を例に挙げて説明するが、本実施の形態はこれに限られない。送信単位として他の期間を利用する場合にも同様に適用することができる。
【００５３】
また、各スロット内では、ＰＵＣＣＨとＰＵＳＣＨの割り当てシンボルが部分的または完全に重複すると想定する。このようなスロットにおける、ＰＵＣＣＨ及びＰＵＳＣＨの配置（スロット構成）は、例えば図４、図５に示される複数の配置関係（ケース１−６）が考えられる。
【００５４】
スロット構成１は、ＰＵＣＣＨの送信期間がＰＵＳＣＨの送信期間に含まれる構成を示している。すなわち、ＰＵＣＣＨの開示位置（時間軸上（時間領域）の開始位置）はＰＵＳＣＨの開始位置よりも遅く、ＰＵＣＣＨの終了位置（時間軸上（時間領域）の終了位置）は、ＰＵＳＣＨの終了位置よりも早い。
【００５５】
スロット構成２、３は、ＰＵＣＣＨの送信期間とＰＵＳＣＨの送信期間とが一部重複した構成を示している。スロット構成２では、ＰＵＣＣＨの開示位置はＰＵＳＣＨの開始位置よりも遅く、ＰＵＣＣＨの終了位置は、ＰＵＳＣＨの終了位置よりも遅い。スロット構成３では、ＰＵＣＣＨの開示位置はＰＵＳＣＨの開始位置よりも早く、ＰＵＣＣＨの終了位置は、ＰＵＳＣＨの終了位置よりも早い。
【００５６】
スロット構成４は、ＰＵＣＣＨの送信期間がＰＵＳＣＨの送信期間を含んでいる構成を示している。すなわち、ＰＵＣＣＨの開示位置はＰＵＳＣＨの開始位置よりも早く、ＰＵＣＣＨの終了位置は、ＰＵＳＣＨの終了位置よりも遅い。
【００５７】
スロット構成５は、ＰＵＣＣＨの送信期間とＰＵＳＣＨ（参照信号を含む）の送信期間とが同じに設定された構成を示している。すなわち、ＰＵＣＣＨの開示位置とＰＵＳＣＨの開始位置とが等しく、ＰＵＣＣＨの終了位置とＰＵＳＣＨの終了位置とが等しい。
【００５８】
スロット構成６は、ＰＵＣＣＨの送信期間とＰＵＳＣＨ（参照信号を含む）の送信期間とが重複しないように設定されたケースを示している。すなわち、ＰＵＣＣＨとＰＵＳＣＨは直交している。
【００５９】
本発明では、ＰＵＣＣＨ及びＰＵＳＣＨの一方の開始位置及び送信期間が、全体的に又は部分的に他方の重複するケースが適用される。すなわち、図４、図５におけるスロット構成１−５の少なくとも１つを、本願発明のスロット構成として適用することができる。
【００６０】
言い換えれば、構成６の場合には、ＵＣＩ  ｏｎ  ＰＵＳＣＨを適用せず、ＰＵＣＣＨとＰＵＳＣＨを独立に制御するものとしてもよい。例えば各スロット内のＰＵＣＣＨとＰＵＳＣＨの関係が構成６のように時間直交していて、図２のスロット＃０において４スロットのマルチスロットスケジューリングがＰＵＣＣＨおよびＰＵＳＣＨに設定されている場合、ユーザ端末は、ＰＵＣＣＨをスロット＃０、＃１、＃４、＃５で送信し、ＰＵＳＣＨをスロット＃０、＃１で送信する。
【００６１】
（第１の態様）
第１の態様では、マルチスロットスケジューリングにおいて、ＰＵＣＣＨについて指定されたスロット数（Ｋｃ）と、ＰＵＳＣＨについて指定されたスロット数（Ｋｄ）とが等しく、かつ、開始位置（マルチスロットの最初のスロット）がＰＵＣＣＨとＰＵＳＣＨで一致している場合の制御について説明する。
【００６２】
第１の態様の具体的なケースについて以下に説明する。なお、スケジューリングは、無線基地局（ｇＮＢ）で行われてよく、以下の制御は、ユーザ端末で行われてよい。
【００６３】
（ケース１−１）
ケース１−１では、上記開始位置からのＫｃ分のスロットが、ＤＬ／ＵＬ割り当て構成において、全て上りリンク送信が割り当てられている場合（Ｋｃ分のスロットに上りリンク送信以外のスロットが含まれていない場合）について説明する。すなわち、上りリンク伝送が割り当てられていないスロット（下りリンク伝送が割り当てられたスロット又は特別スロット）によって、マルチスロットのＰＵＣＣＨ／ＰＵＳＣＨ送信が中断されることがない。このような場合、Ｋｃ分の全てのスロットにおいて、ＵＣＩ  ｏｎ  ＰＵＳＣＨが行われる。具体的には、図６に示されるようにスロット＃０−＃３におて、ＵＣＩ  ｏｎ  ＰＵＳＣＨが行われる。
【００６４】
なお、ＵＣＩ  ｏｎ  ＰＵＳＣＨにおけるＵＣＩのマッピングパターン及びＵＬデータのレートマッチング・パンクチャ制御は、マルチスロットを構成するすべてのスロットで共通であるとしてもよい。
【００６５】
（ケース１−２）
ケース１−２では、上記開始位置からのＫｃ分のスロットが、ＤＬ／ＵＬ割り当て構成において、下りリンク送信が割り当てられたスロット（又は特別スロット）が存在する場合について説明する。すなわち、下りリンク送信が割り当てられたスロット（又は特別スロット）によって、マルチスロットのＰＵＣＣＨ／ＰＵＳＣＨ送信が中断される。このような場合、以下の２つの制御（オプション）が考えられる。
【００６６】
（オプション１−２ａ）
このオプションでは、ＰＵＳＣＨのマルチスロットスケジューリングにおけるルールが、ＰＵＣＣＨのマルチスロットスケジューリングに適用される。上述のように、ＰＵＳＣＨのマルチスロットスケジューリングでは、上りリンク伝送が割り当てられていないスロット（下りリンク伝送が割り当てられたスロット又は特別スロット）によりＰＵＳＣＨ送信を中断した場合、以降のＰＵＳＣＨ送信はキャンセルされる。
【００６７】
このようなルールがＰＵＣＣＨのマルチスロットスケジューリングにも適用される。このため、上りリンク伝送が割り当てられていないスロット（下りリンク伝送が割り当てられたスロット又は特別スロット）によりＰＵＣＣＨ送信が中断された場合、以降のＰＵＣＣＨ送信はキャンセルされる。一方、ＰＵＳＣＨ送信が中断される前のスロットであって、ＰＵＳＣＨ及びＰＵＣＣＨが同時にスケジューリングされているスロットではＵＣＩ  ｏｎ  ＰＵＳＣＨが行われる。
【００６８】
具体的には、図７に示されるように、スロット＃０、＃１でＵＣＩ  ｏｎ  ＰＵＳＣＨが行われる。一方、ＰＵＣＣＨ／ＰＵＳＣＨ送信の中断後の、上りリンク伝送が割り当てられたスロット＃４、＃５であっても、ＰＵＣＣＨの送信は行われない。スロット＃４、＃５では、ＰＵＳＣＨの送信も行われない。このようにすることで、ＵＥはＵＣＩ  ｏｎ  ＰＵＳＣＨによってＰＵＣＣＨからＰＵＳＣＨに載せ替えた（ピギーバックさせた）ＵＣＩを適切に送信することができ、かつスロット＃４の後に、不要にＰＵＣＣＨが送信されるのを防ぐことができる。
【００６９】
（オプション１−２ｂ）
このオプションでは、ＰＵＣＣＨのマルチスロットスケジューリングのルールと、ＰＵＳＣＨのマルチスロットスケジューリングのルールの双方が維持される。さらに、ＰＵＳＣＨ送信が中断される前のスロットであって、ＰＵＳＣＨ及びＰＵＣＣＨが同時にスケジューリングされているスロットではＵＣＩ  ｏｎ  ＰＵＳＣＨが行われる。
【００７０】
具体的には、図８に示されるように、スロット＃０、＃１でＵＣＩ  ｏｎ  ＰＵＳＣＨが行われる。一方、ＰＵＣＣＨ／ＰＵＳＣＨ送信の中断後の、上りリンク伝送が割り当てられたスロット＃４、＃５ではＰＵＳＣＨの送信は行われない。一方、スロット＃４、＃５では、ＰＵＣＣＨの送信が行われる。このようにすることで、ＵＣＩ  ｏｎ  ＰＵＳＣＨ適用有無に関わらずＵＣＩの送信スロット数を確保することができ、ＵＣＩの品質を改善できる。
【００７１】
以上説明した第１の態様によれば、データチャネル及び／又は制御チャネルが柔軟にスケジューリングされる場合であっても、上り共有チャネルを利用した上りデータ及び上り制御情報の送信（ＵＣＩ  ｏｎ  ＰＵＳＣＨ）を適切に行うことができる。例えば、時分割複信（ＴＤＤ：Time  division  duplex）及びマルチスロットスケジューリング適用時であっても、ＵＣＩ  ｏｎ  ＰＵＳＣＨを適切に行うことができる。
【００７２】
（第２の態様）
第２の態様では、マルチスロットスケジューリングにおいて、ＰＵＣＣＨについて指定されたスロット数（Ｋｃ）と、ＰＵＳＣＨについて指定されたスロット数（Ｋｄ）とが異なる場合、及び／又は、開始位置（マルチスロットの最初のスロット）がＰＵＣＣＨとＰＵＳＣＨで一致していない場合の制御について説明する。
【００７３】
第２の態様の具体的なケースについて以下に説明する。なお、スケジューリングは、無線基地局（ｇＮＢ）で行われてよく、以下の制御は、ユーザ端末で行われてよい。
【００７４】
（ケース２−１）
このケースでは、マルチスロットのＰＵＣＣＨ／ＰＵＳＣＨが割り当てられた全てのスロットで、ＰＵＣＣＨ／ＰＵＳＣＨを送信できる場合について説明する。これは例えば、ＤＬ／ＵＬ割り当て構成が設定された場合でも、マルチスロットのＰＵＣＣＨ／ＰＵＳＣＨが割り当てられた全てのスロットが、上りリンクスロットである場合（指定されたマルチスロットに上りリンク送信以外のスロットが含まれていない場合）などである。すなわち、マルチスロットのＰＵＣＣＨ／ＰＵＳＣＨ送信が、ＤＬ／ＵＬ割り当て構成によって中断されることがない。
【００７５】
また、ケース２−１では、スケジューリングされたＰＵＣＣＨのマルチスロットの開始位置（開始スロット）が、ＰＵＳＣＨの開始位置よりも先である場合の制御について説明する。ＰＵＣＣＨの開始スロットが＃ｎであり、ＰＵＳＣＨの開始スロットが＃ｎ＋ｋに指定されている（図９参照）。
【００７６】
（ケース２−１ａ）
ケース２−１はさらに分類される。このケースでは、ＰＵＣＣＨ及びＰＵＳＣＨの終了スロットは一致しているものとする（図９参照）。このようなケース２−１ａでは、以下の制御（オプション）が考えられる。
【００７７】
（オプション２−１ａ−１）
このオプションでは、ＰＵＣＣＨとＰＵＳＣＨとが重複するスロットにおいて、ＵＣＩ  ｏｎ  ＰＵＳＣＨが行われる。重複しないスロット、すなわち、ＰＵＣＣＨの送信のみが指定されているスロットについては、ＰＵＣＣＨのみの送信が行われる。このようにすることで、ＵＣＩの送信開始時間とＵＬデータの送信開始時間を維持しつつ両者を送信することができるため、端末処理負担増加を抑圧することができる。
【００７８】
（オプション２−１ａ−２）
このオプションでは、ＰＵＣＣＨ送信とＰＵＳＣＨ送信との内、先に開始された送信についてのみ行われ、後から開始される送信はキャンセルする。上記図９においては、ＰＵＣＣＨ送信のみが行われ、ＰＵＳＣＨ送信はキャンセルされる。このようにすることで、端末はＵＣＩ送信開始以降ＰＵＳＣＨの送信処理をする必要がなくなることから、端末処理負担を軽減することができる。
【００７９】
（オプション２−１ａ−３）
このオプションでは、ＰＵＣＣＨ送信とＰＵＳＣＨ送信との内、先に開始された送信をキャンセル（ドロップ）し、後から開始される送信のみが行われる。上記図９においては、ＰＵＣＣＨ送信がキャンセルされ、ＰＵＳＣＨ送信のみが行われる。なお、先に開始された送信については、ユーザ端末において、可能な限りキャンセル、又は、送信データのドロップが行われる。このようにすることで、時間的に新しいスケジューリング情報を古いスケジューリング情報よりも優先して制御することができるようになるため、低遅延サービスを適切に実現することができる。
【００８０】
（ケース２−１ｂ）
ケース２−１はさらに分類される。このケース２−１ｂでは、スケジューリングされたＰＵＣＣＨのマルチスロットの開始位置（開始スロット）が、ＰＵＳＣＨの開始位置よりも先であることは、先のケース２−１ａと同様であるが、ＰＵＣＣＨの終了スロットがＰＵＳＣＨの終了スロットよりも早いものとする（図１０参照）。このようなケース２−１ｂでは、以下の制御（オプション）が考えられる。
【００８１】
（オプション２−１ｂ−１）
このオプションでは、ＰＵＣＣＨとＰＵＳＣＨとが重複するスロットにおいて、ＵＣＩ  ｏｎ  ＰＵＳＣＨが行われる。重複しないスロット、すなわち、ＰＵＣＣＨの送信のみが指定されているスロット、及び、ＰＵＳＣＨ送信のみが指定されているスロットについては、それぞれの送信が行われる。
【００８２】
（オプション２−１ｂ−２）
このオプションでは、全てのスロットでＵＣＩ  ｏｎ  ＰＵＳＣＨが行われる。なお、ＰＵＣＣＨとＰＵＳＣＨとが重複していないスロットについては、重複しているスロットのＵＣＩ又は上りデータをコピーして、ＵＣＩ  ｏｎ  ＰＵＳＣＨが行われる。このようにすることで、マルチスロットのＰＵＳＣＨに対してスロット間で同様にＵＣＩ  ｏｎ  ＰＵＳＣＨを適用することができるため（すなわちスロットごとに違うマッピングを適用することがないため）、端末処理負担を軽減できる。また、ＵＣＩの送信回数を増加できるので、ＵＣＩの品質確保も容易となる。
【００８３】
（オプション２−１ｂ−３）
このオプションでは、ＰＵＣＣＨ送信とＰＵＳＣＨ送信との内、先に開始された送信についてのみ行われ、後から開始される送信はキャンセル、又は、重複しないスロットにおいてのみ送信が行われる。具体的には、ＰＵＣＣＨ送信のみが行われ、ＰＵＳＣＨ送信はキャンセルされる。もしくは、ＰＵＣＣＨのみが指定されているスロット、及び、ＰＵＣＣＨ及びＰＵＳＣＨが重複して指定されているスロット、ではＰＵＣＣＨ送信のみが行われ、さらに、ＰＵＳＣＨのみが指定されているスロットでは、ＰＵＳＣＨ送信のみが行われる。このようにすることで、ＵＣＩとＵＬデータの両方を送信する機会を設けることができる。また、ＵＣＩ  ｏｎ  ＰＵＳＣＨ制御は行わないため、端末処理負担を軽減することができる。
【００８４】
（オプション２−１ｂ−４）
このオプションでは、ＰＵＣＣＨ送信とＰＵＳＣＨ送信との内、後に開始された送信についてのみ行われ、先に開始される送信はキャンセル、又は、重複しないスロットにおいてのみ送信が行われる。具体的には、ＰＵＳＣＨ送信のみが行われ、ＰＵＣＣＨ送信はキャンセルされる。もしくは、ＰＵＳＣＨのみが指定されているスロット、及び、ＰＵＣＣＨ及びＰＵＳＣＨが重複して指定されているスロット、ではＰＵＳＣＨ送信のみが行われ、さらに、ＰＵＣＣＨのみが指定されているスロットでは、ＰＵＣＣＨ送信のみが行われる。このようにすることで、時間的に新しいスケジューリング情報を古いスケジューリング情報よりも優先して制御することができるようになるため、低遅延サービスを適切に実現することができる。
【００８５】
（ケース２−１ｃ）
ケース２−１はさらに分類される。このケース２−１ｃでは、スケジューリングされたＰＵＣＣＨのマルチスロットの開始位置（開始スロット）が、ＰＵＳＣＨの開始位置よりも先であることは、先のケース２−１ａ、２−１ｂと同様であるが、ＰＵＳＣＨの終了スロットがＰＵＣＣＨの終了スロットよりも早いものとする（図１１参照）。このようなケース２−１ｃでは、以下の制御（オプション）が考えられる。
【００８６】
（オプション２−１ｃ−１）
このオプションでは、ＰＵＣＣＨとＰＵＳＣＨとが重複するスロットにおいて、ＵＣＩ  ｏｎ  ＰＵＳＣＨが行われる。重複しないスロット、すなわち、ＰＵＣＣＨの送信のみが指定されているスロットについては、ＰＵＣＣＨのみの送信が行われる。このようにすることで、ＵＣＩの繰り返し回数を確保し、ＵＣＩの品質を改善することができる。
【００８７】
（オプション２−１ｃ−２）
このオプションでは、ＰＵＣＣＨ送信とＰＵＳＣＨ送信との内、先に開始された送信についてのみ行われ、後から開始される送信はキャンセルする。上記図１１においては、ＰＵＣＣＨ送信のみが行われ、ＰＵＳＣＨ送信はキャンセルされる。
【００８８】
（オプション２−１ｃ−３）
このオプションでは、ＰＵＣＣＨ送信とＰＵＳＣＨ送信との内、先に開始された送信についてのみ行われ、後から開始される送信はキャンセル、又は、重複しないスロットにおいてのみ送信が行われる。具体的には、ＰＵＣＣＨ送信のみが行われ、ＰＵＳＣＨ送信はキャンセルされる。もしくは、ＰＵＣＣＨのみが指定されているスロット、及び、ＰＵＣＣＨ及びＰＵＳＣＨが重複して指定されているスロット、ではＰＵＣＣＨ送信のみが行われ、さらに、ＰＵＳＣＨのみが指定されているスロットでは、ＰＵＳＣＨ送信のみが行われる。このようにすることで、ユーザ端末は後の送信を考慮する必要がなくなることから、端末処理負担を軽減することができる。
【００８９】
（ケース２−２）
このケースでは、全てのスロットが、ＤＬ／ＵＬ割り当て構成において、全て上りリンク送信が割り当てられている場合（指定されたマルチスロットに上りリンク送信以外のスロットが含まれていない場合）であることは、ケース２−１と同じである。すなわち、上りリンク伝送が割り当てられていないスロット（下りリンク伝送が割り当てられたスロット又は特別スロット）によって、マルチスロットのＰＵＣＣＨ／ＰＵＳＣＨ送信が中断されることがない。
【００９０】
一方、ケース２−２では、スケジューリングされたＰＵＳＣＨのマルチスロットの開始位置（開始スロット）が、ＰＵＣＣＨの開始位置よりも先である場合の制御について説明する。ＰＵＣＣＨの開始スロットが＃ｎであり、ＰＵＳＣＨの開始スロットが＃ｎ−ｋに指定されている（図１２参照）。
【００９１】
（ケース２−２ａ）
ケース２−２はさらに分類される。このケースでは、ＰＵＣＣＨ及びＰＵＳＣＨの終了スロットは一致しているものとする（図１２参照）。このようなケース２−２ａでは、以下の制御（オプション）が考えられる。
【００９２】
（オプション２−２ａ−１）
このオプションでは、ＰＵＣＣＨとＰＵＳＣＨとが重複するスロットにおいて、ＵＣＩ  ｏｎ  ＰＵＳＣＨが行われる。重複しないスロット、すなわち、ＰＵＳＣＨの送信のみが指定されているスロットについては、ＰＵＳＣＨのみの送信が行われる。このようにすることで、ＵＣＩの送信開始タイミングとＵＬデータの送信開始タイミングを変更することなく両者を適切な回数送信することができるため、端末処理負担増加を抑圧しつつ品質を確保することができる。
【００９３】
（オプション２−２ａ−２）
このオプションでは、ＰＵＣＣＨ送信とＰＵＳＣＨ送信との内、先に開始された送信についてのみ行われ、後から開始される送信はキャンセルする。上記図１２においては、ＰＵＳＣＨ送信のみが行われ、ＰＵＣＣＨ送信はキャンセルされる。このようにすることで、ユーザ端末は後の送信を考慮する必要がなくなることから、端末処理負担を軽減することができる。
【００９４】
（オプション２−２ａ−３）
このオプションでは、ＰＵＣＣＨ送信とＰＵＳＣＨ送信との内、先に開始された送信をキャンセル（ドロップ）し、後から開始される送信のみが行われる。上記図１２においては、ＰＵＳＣＨ送信がキャンセルされ、ＰＵＣＣＨ送信のみが行われる。なお、先に開始された送信については、ユーザ端末において、可能な限りキャンセル、又は、送信データのドロップが行われる。このようにすることで、時間的に新しいスケジューリング情報を古いスケジューリング情報よりも優先して制御することができるようになるため、低遅延サービスを適切に実現することができる。
【００９５】
（ケース２−２ｂ）
ケース２−２はさらに分類される。このケース２−２ｂでは、スケジューリングされたＰＵＳＣＨのマルチスロットの開始位置（開始スロット）が、ＰＵＣＣＨの開始位置よりも先であることは、先のケース２−２ａと同様であるが、ＰＵＳＣＨの終了スロットがＰＵＣＣＨの終了スロットよりも早いものとする（図１３参照）。このようなケース２−２ｂでは、以下の制御（オプション）が考えられる。
【００９６】
（オプション２−２ｂ−１）
このオプションでは、ＰＵＣＣＨとＰＵＳＣＨとが重複するスロットにおいて、ＵＣＩ  ｏｎ  ＰＵＳＣＨが行われる。重複しないスロット、すなわち、ＰＵＣＣＨの送信のみが指定されているスロット、及び、ＰＵＳＣＨ送信のみが指定されているスロットについては、それぞれの送信が行われる。このようにすることで、ＵＣＩの送信開始時間とＵＬデータの送信開始時間を維持しつつ両者を送信することができるため、端末処理負担増加を抑圧することができる。
【００９７】
（オプション２−２ｂ−２）
このオプションでは、重複する最初のスロットから、ＰＵＳＣＨが指定された最後のスロットまで、ＵＣＩ  ｏｎ  ＰＵＳＣＨが行われる。なお、ＰＵＣＣＨとＰＵＳＣＨとが重複していないスロットについては、重複しているスロットのＵＣＩ又はＵＬデータをコピーして、ＵＣＩ  ｏｎ  ＰＵＳＣＨが行われる。このようにすることで、マルチスロットのＰＵＳＣＨに対してスロット間で同様にＵＣＩ  ｏｎ  ＰＵＳＣＨを適用することができるため（すなわちスロットごとに違うマッピングを適用することがないため）、端末処理負担を軽減できる。また、ＵＣＩの送信回数を増加できるので、ＵＣＩの品質確保も容易となる。
【００９８】
（オプション２−２ｂ−３）
このオプションでは、ＰＵＣＣＨ送信とＰＵＳＣＨ送信との内、先に開始された送信についてのみ行われ、後から開始される送信はキャンセル、又は、重複しないスロットにおいてのみ送信が行われる。具体的には、ＰＵＳＣＨ送信のみが行われ、ＰＵＣＣＨ送信はキャンセルされる。もしくは、ＰＵＳＣＨのみが指定されているスロット、及び、ＰＵＣＣＨ及びＰＵＳＣＨが重複して指定されているスロット、ではＰＵＳＣＨ送信のみが行われ、さらに、ＰＵＣＣＨのみが指定されているスロットでは、ＰＵＣＣＨ送信のみが行われる。このようにすることで、端末処理負担を軽減しつつ、ＵＣＩとＵＬデータの送信スロット数を維持することができる。
【００９９】
（オプション２−２ｂ−４）
このオプションでは、ＰＵＣＣＨ送信とＰＵＳＣＨ送信との内、後に開始された送信についてのみ行われ、先に開始される送信はキャンセル、又は、重複しないスロットにおいてのみ送信が行われる。具体的には、ＰＵＣＣＨ送信のみが行われ、ＰＵＳＣＨ送信はキャンセルされる。もしくは、ＰＵＣＣＨのみが指定されているスロット、及び、ＰＵＣＣＨ及びＰＵＳＣＨが重複して指定されているスロット、ではＰＵＣＣＨ送信のみが行われ、さらに、ＰＵＳＣＨのみが指定されているスロットでは、ＰＵＳＣＨ送信のみが行われる。このようにすることで、時間的に新しいスケジューリング情報を古いスケジューリング情報よりも優先して制御することができるようになるため、低遅延サービスを適切に実現することができる。
【０１００】
（ケース２−２ｃ）
ケース２−２はさらに分類される。このケース２−２ｃでは、スケジューリングされたＰＵＣＣＨのマルチスロットの開始位置（開始スロット）が、ＰＵＳＣＨの開始位置よりも先であることは、先のケース２−２ａ、２−２ｂと同様であるが、ＰＵＳＣＨの終了スロットがＰＵＣＣＨの終了スロットよりも早いものとする（図１４参照）。このようなケース２−２ｃでは、以下の制御（オプション）が考えられる。
【０１０１】
（オプション２−２ｃ−１）
このオプションでは、ＰＵＣＣＨとＰＵＳＣＨとが重複するスロットにおいて、ＵＣＩ  ｏｎ  ＰＵＳＣＨが行われる。重複しないスロット、すなわち、ＰＵＣＣＨの送信のみが指定されているスロットについては、ＰＵＣＣＨのみの送信が行われる。このようにすることで、ＵＣＩとＵＬデータの両方について、送信スロット数を維持し、品質を確保することができる。
【０１０２】
（オプション２−２ｃ−２）
このオプションでは、ＰＵＣＣＨ送信とＰＵＳＣＨ送信との内、先に開始された送信についてのみ行われ、後から開始される送信はキャンセルする。上記図１４においては、ＰＵＳＣＨ送信のみが行われ、ＰＵＣＣＨ送信はキャンセルされる。このようにすることで、端末は後の送信を考慮する必要がなくなることから、端末処理負担を軽減することができる。
【０１０３】
（オプション２−２ｃ−３）
このオプションでは、ＰＵＣＣＨ送信とＰＵＳＣＨ送信との内、先に開始された送信についてのみ行われ、後から開始される送信はキャンセル、又は、重複しないスロットにおいてのみ送信が行われる。具体的には、ＰＵＣＣＨ送信のみが行われ、ＰＵＳＣＨ送信はキャンセルされる。もしくは、ＰＵＣＣＨのみが指定されているスロット、及び、ＰＵＣＣＨ及びＰＵＳＣＨが重複して指定されているスロット、ではＰＵＣＣＨ送信のみが行われ、さらに、ＰＵＳＣＨのみが指定されているスロットでは、ＰＵＳＣＨ送信のみが行われる。このようにすることで、端端末処理負担を軽減しつつも、ＵＣＩとＵＬデータ両者を少なくとも１スロットで送信することができる。
【０１０４】
（ケース２−３）
このケースでは、ＤＬ／ＵＬ割り当て構成において、下りリンク送信が割り当てられたスロット（又は特別スロット）が存在する場合について説明する。すなわち、下りリンク送信が割り当てられたスロット（又は特別スロット）によって、マルチスロットのＰＵＣＣＨ／ＰＵＳＣＨ送信が中断される。このような場合、以下の２つの制御（オプション）が考えられる。
【０１０５】
（オプション２−３ａ）
このオプションでは、ＰＵＳＣＨのマルチスロットスケジューリングにおけるルールが、ＰＵＣＣＨのマルチスロットスケジューリングに適用される。上述のように、ＰＵＳＣＨのマルチスロットスケジューリングでは、上りリンク伝送が割り当てられていないスロット（下りリンク伝送が割り当てられたスロット又は特別スロット）によりＰＵＳＣＨ送信を中断した場合、以降のＰＵＳＣＨ送信はキャンセルされる。
【０１０６】
このようなルールがＰＵＣＣＨのマルチスロットスケジューリングにも適用される。このため、上りリンク伝送が割り当てられていないスロット（下りリンク伝送が割り当てられたスロット又は特別スロット）によりＰＵＣＣＨ送信が中断された場合、以降のＰＵＣＣＨ送信はキャンセルされる。一方、ＰＵＳＣＨ送信が中断される前のスロットであって、ＰＵＳＣＨ及びＰＵＣＣＨが同時にスケジューリングされているスロットではＵＣＩ  ｏｎ  ＰＵＳＣＨが行われる。
【０１０７】
（オプション２−３ｂ）
このオプションでは、ＰＵＣＣＨのマルチスロットスケジューリングのルールと、ＰＵＳＣＨのマルチスロットスケジューリングのルールの双方が維持される。さらに、ＰＵＳＣＨ送信が中断される前のスロットであって、ＰＵＳＣＨ及びＰＵＣＣＨが同時にスケジューリングされているスロットではＵＣＩ  ｏｎ  ＰＵＳＣＨが行われる。
【０１０８】
上記オプション２-３ａ、２-３ｂは、上述した第１の実施形態における、オプション１-２ａ、１-２ｂを組み合わせ実現することができる。
【０１０９】
以上説明した第２の態様によれば、時分割複信（ＴＤＤ：Time  division  duplex）及びマルチスロットスケジューリング適用時であっても、ＵＣＩ  ｏｎ  ＰＵＳＣＨを適切に行うことができる。
【０１１０】
（第３の態様）
次に第３の態様について説明する。ここでは、ロングＰＵＣＣＨとミニスロット型ＰＵＳＣＨとの衝突（重複）について説明する。図１５は、１スロットの構成が示されている。１スロット内に複数のミニスロット型のＰＵＳＣＨ（ショートＰＵＳＣＨ）が、繰り返しで配置されている。具体的には、ｋｄ＝１〜ｋｄ＝４まで、シートＰＵＳＣＨの繰り返しが４回設定されている。
【０１１１】
このような状態で、ロングＰＵＣＣＨとショートＰＵＳＣＨとが重複する場合について、以下の３つの制御が行われる。
【０１１２】
（オプション３−１）
このオプションでは、ＰＵＣＣＨ（ロングＰＵＣＣＨ）の送信をキャンセル（ドロップ）する。これにより、予め設定されていたショートＰＵＳＣＨの繰り返しを維持することができ、かつ端末処理負担の増加を抑圧できる。
【０１１３】
（オプション３−２）
このオプションでは、ロングＰＵＣＣＨとショートＰＵＳＣＨとが重複している部分（期間）では、ＰＵＳＣＨを送信しない。具体的には、ｋｄ＝３、４では、ＰＵＳＣＨが送信されない。このようにすることで、のちにスケジューリングされた新しい情報を優先的に送信することができ、低遅延データや低遅延ＵＣＩを優先的に送信することができるようになる。
【０１１４】
（オプション３−３）
このオプションでは、ロングＰＵＣＣＨとショートＰＵＳＣＨとが重複している部分（期間）で、ＵＣＩ  ｏｎ  ＰＵＳＣＨを行う。
【０１１５】
なお、ＨＡＲＱ−ＡＣＫは、パンクチャリング又はレートマッチングを行ってもよい。また、重複する最初のミニスロットにマッピングされたＨＡＲＱ−ＡＣＫは、以降のミニスロットの送信において、繰り返されてもよい。また、重複するミニスロットにわたって、マッピング、又は、分散してマッピングされてもよい。
【０１１６】
ＵＣＩ  ｏｎ  ＰＵＳＣＨを行う際の具体例を、図１６、図１７を参照して説明する。図１６は、ｋｄ＝３でルールを決定し、これをｋｄ＝４に適用することでＵＣＩ  ｏｎ  ＰＵＳＣＨが行わることを示す。図１７は、まとめてＵＣＩをＵＣＩ  ｏｎ  ＰＵＳＣＨすることを示す。ＰＵＳＣＨ（ｋｄ＝３、４）は１つのＰＵＳＣＨとみなされて、ＵＣＩ  ｏｎ  ＰＵＳＣＨが行われる。
【０１１７】
例えば図１６の場合は、最初のミニスロットで行うＨＡＲＱ−ＡＣＫのマッピングを、次のスロットでも同じように行う。このようにすることで、端末の処理を２つのミニスロット間で統一させることができ、処理負担を軽減できる。図１７の場合は、ＨＡＲＱ−ＡＣＫをマッピングするリソース量が最初のミニスロットのリソース量よりも小さい場合、最初のミニスロットにのみにマッピングされる。そうでない場合、最初のミニスロットのリソースにマッピングを行い、不足分を次のミニスロットにマッピングする。このようにすることで、適切なリソース量をＨＡＲＱ−ＡＣＫに割り当てることができる。
【０１１８】
以上説明した第３の態様によれば、時分割複信（ＴＤＤ：Time  division  duplex）及びマルチスロットスケジューリング適用時に、ロングＰＵＣＣＨとショートＰＵＳＣＨとが用いられた場合であっても、ＵＣＩ  ｏｎ  ＰＵＳＣＨを適切に行うことができる。
【０１１９】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、少なくとも２つを組み合わせて適用されてもよい。
【０１２０】
図１８は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT：New  Radio  Access  Technology）などと呼ばれても良い。
【０１２１】
図１８に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間及び／又はセル内で異なるニューメロロジーが適用される構成としてもよい。
【０１２２】
ここで、ニューメロロジーとは、周波数方向及び／又は時間方向における通信パラメータ（例えば、サブキャリアの間隔（サブキャリア間隔）、帯域幅、シンボル長、ＣＰの時間長（ＣＰ長）、サブフレーム長、ＴＴＩの時間長（ＴＴＩ長）、ＴＴＩあたりのシンボル数、無線フレーム構成、フィルタリング処理、ウィンドウイング処理などの少なくとも一つ）である。無線通信システム１では、例えば、１５ｋＨｚ、３０ｋＨｚ、６０ｋＨｚ、１２０ｋＨｚ、２４０ｋＨｚなどのサブキャリア間隔がサポートされてもよい。
【０１２３】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【０１２４】
また、ユーザ端末２０は、各セルで、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成タイプ２）、ＦＤＤキャリア（フレーム構成タイプ１）等と呼ばれてもよい。
【０１２５】
また、各セル（キャリア）では、単一のニューメロロジーが適用されてもよいし、複数の異なるニューメロロジーが適用されてもよい。
【０１２６】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１２７】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１２８】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１２９】
なお、無線基地局１１は、相対的に広いカバレッジを有する無線基地局であり、マクロ基地局、集約ノード、ｅＮＢ（eNodeB）、ｇＮＢ（gNodeB）、送受信ポイント（ＴＲＰ）、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、ｅＮＢ、ｇＮＢ、送受信ポイントなどと呼ばれてもよい。以下、無線基地局１１及び１２を区別しない場合は、無線基地局１０と総称する。
【０１３０】
各ユーザ端末２０は、ＬＴＥ、ＬＴＥ−Ａ、５Ｇ、ＮＲなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【０１３１】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。
【０１３２】
また、無線通信システム１では、マルチキャリア波形（例えば、ＯＦＤＭ波形）が用いられてもよいし、シングルキャリア波形（例えば、ＤＦＴ−ｓ−ＯＦＤＭ波形）が用いられてもよい。
【０１３３】
無線通信システム１では、ＤＬチャネルとして、各ユーザ端末２０で共有されるＤＬ共有チャネル（ＰＤＳＣＨ：Physical  Downlink  Shared  Channel、ＤＬデータチャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【０１３４】
Ｌ１／Ｌ２制御チャネルは、ＤＬ制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨ、ＰＤＣＣＨ、ＥＰＤＣＣＨの少なくとも一つにより、ＰＵＳＣＨに対するＨＡＲＱの再送制御情報（ＡＣＫ／ＮＡＣＫ）を伝送できる。
【０１３５】
無線通信システム１では、ＵＬチャネルとして、各ユーザ端末２０で共有されるＵＬ共有チャネル（ＰＵＳＣＨ：Physical  Uplink  Shared  Channel、上り共有チャネル等ともいう）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。ＤＬ信号の再送制御情報（Ａ／Ｎ）やチャネル状態情報（ＣＳＩ）などの少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【０１３６】
＜無線基地局＞
図１９は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。
【０１３７】
ＤＬにより無線基地局１０からユーザ端末２０に送信されるユーザデータは、上位局装置３０から伝送路インターフェース１０６を介してベースバンド信号処理部１０４に入力される。
【０１３８】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【０１３９】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１４０】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１４１】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１４２】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１４３】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１４４】
また、送受信部１０３は、ユーザ端末２０に対してＤＬ信号（ＤＬデータ信号、ＤＬ制御信号、ＤＬ参照信号の少なくとも一つを含む）を送信し、当該ユーザ端末２０からのＵＬ信号（ＵＬデータ信号、ＵＬ制御信号、ＵＬ参照信号の少なくとも一つを含む）を受信する。
【０１４５】
また、送受信部１０３は、上り共有チャネル（例えば、ＰＵＳＣＨ）又は上り制御チャネル（例えば、ショートＰＵＣＣＨ及び／又はロングＰＵＣＣＨ）を用いて、ユーザ端末２０からのＵＣＩを受信する。当該ＵＣＩは、ＤＬデータチャネル（例えば、ＰＤＳＣＨ）のＨＡＲＱ−ＡＣＫ、ＣＳＩ、ＳＲ、ビームの識別情報（例えば、ビームインデックス（ＢＩ））、バッファステータスレポート（ＢＳＲ）の少なくとも一つを含んでもよい。
【０１４６】
また、送受信部１０３は、上り制御チャネル（例えば、ショートＰＵＣＣＨ、ロングＰＵＣＣＨ）に関する制御情報（例えば、フォーマット、スロット内のＰＵＣＣＨユニット数、ＰＵＣＣＨユニットのサイズ、ＲＳの多重方法、ＲＳの配置位置、ＲＳの存在有無、ＲＳの密度、ＳＲＳの有無、上り制御チャネル用のリソースの少なくとも一つ）を物理レイヤシグナリング（Ｌ１シグナリング）及び／又は上位レイヤシグナリングにより送信してもよい。
【０１４７】
例えば、マルチスロットスケジューリングを行う場合には、上りリンク制御チャネルの連続するスロット数を指定する情報を送信してもよい。また、上りリンク制御チャネルの送信に割り当てられる最初のスロットを指定する情報を送信してもよい。
【０１４８】
図２０は、本実施の形態に係る無線基地局の機能構成の一例を示す図である。なお、図２０は、本実施の形態における特徴部分の機能ブロックを主に示しており、無線基地局１０は、無線通信に必要な他の機能ブロックも有しているものとする。図２０に示すように、ベースバンド信号処理部１０４は、制御部３０１と、送信信号生成部３０２と、マッピング部３０３と、受信信号処理部３０４と、測定部３０５とを備えている。
【０１４９】
制御部３０１は、無線基地局１０全体の制御を実施する。制御部３０１は、例えば、送信信号生成部３０２によるＤＬ信号の生成や、マッピング部３０３によるＤＬ信号のマッピング、受信信号処理部３０４によるＵＬ信号の受信処理（例えば、復調など）、測定部３０５による測定を制御する。
【０１５０】
具体的には、制御部３０１は、ユーザ端末２０のスケジューリングを行う。具体的には、制御部３０１は、ユーザ端末２０からのＵＣＩ（例えば、ＣＳＩ及び／又はＢＩ）に基づいて、ＤＬデータ及び／又は上り共有チャネルのスケジューリング及び／又は再送制御を行ってもよい。
【０１５１】
また、制御部３０１は、上り制御チャネル（例えば、ロングＰＵＣＣＨ及び／又はショートＰＵＣＣＨ）の構成（フォーマット）を制御し、当該上り制御チャネルに関する制御情報を送信するよう制御してもよい。
【０１５２】
また、制御部３０１は、上述した第１−第３の態様におけるマルチスロットスケジューリングを行ってもよい。例えば、上りリンク制御チャネル及び／又は上りリンク共有チャネルにおける連続するスロット数を指定してもよい。また、上りリンク制御チャネル及び／又は上りリンク共有チャネルの送信に割り当てられる最初のスロットを指定するしてもよい。
【０１５３】
制御部３０１は、上り制御チャネルのフォーマットに基づいて、ユーザ端末２０からのＵＣＩの受信処理を行うように、受信信号処理部３０４を制御してもよい。
【０１５４】
制御部３０１は、本発明に係る技術分野での共通認識に基づいて説明されるコントローラ、制御回路又は制御装置から構成することができる。
【０１５５】
送信信号生成部３０２は、制御部３０１からの指示に基づいて、ＤＬ信号（ＤＬデータ信号、ＤＬ制御信号、ＤＬ参照信号を含む）を生成して、マッピング部３０３に出力する。
【０１５６】
送信信号生成部３０２は、本発明に係る技術分野での共通認識に基づいて説明される信号生成器、信号生成回路又は信号生成装置とすることができる。
【０１５７】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置とすることができる。
【０１５８】
受信信号処理部３０４は、ユーザ端末２０から送信されるＵＬ信号（例えば、ＵＬデータ信号、ＵＬ制御信号、ＵＬ参照信号を含む）に対して、受信処理（例えば、デマッピング、復調、復号など）を行う。具体的には、受信信号処理部３０４は、受信信号や、受信処理後の信号を、測定部３０５に出力してもよい。また、受信信号処理部３０４は、制御部３０１から指示される上り制御チャネル構成に基づいて、ＵＣＩの受信処理を行う。
【０１５９】
測定部３０５は、受信した信号に関する測定を実施する。測定部３０５は、本発明に係る技術分野での共通認識に基づいて説明される測定器、測定回路又は測定装置から構成することができる。
【０１６０】
測定部３０５は、例えば、ＵＬ参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【０１６１】
＜ユーザ端末＞
図２１は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。
【０１６２】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０１６３】
ベースバンド信号処理部２０４は、入力されたベースバンド信号に対して、ＦＦＴ処理や、誤り訂正復号、再送制御の受信処理などを行う。ＤＬデータは、アプリケーション部２０５に転送される。アプリケーション部２０５は、物理レイヤやＭＡＣレイヤより上位のレイヤに関する処理などを行う。また、ブロードキャスト情報もアプリケーション部２０５に転送される。
【０１６４】
一方、ＵＬデータについては、アプリケーション部２０５からベースバンド信号処理部２０４に入力される。ベースバンド信号処理部２０４では、再送制御の送信処理（例えば、ＨＡＲＱの送信処理）や、チャネル符号化、レートマッチング、パンクチャ、離散フーリエ変換（ＤＦＴ：Discrete  Fourier  Transform）処理、ＩＦＦＴ処理などが行われて各送受信部２０３に転送される。ＵＣＩについても、チャネル符号化、レートマッチング、パンクチャ、ＤＦＴ処理、ＩＦＦＴ処理の少なくとも一つが行われて各送受信部２０３に転送される。
【０１６５】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１６６】
また、送受信部２０３は、ユーザ端末２０に設定されたニューメロロジーのＤＬ信号（ＤＬデータ信号、ＤＬ制御信号（ＤＣＩ）、ＤＬ参照信号を含む）を受信し、当該ニューメロロジーのＵＬ信号（ＵＬデータ信号、ＵＬ制御信号、ＵＬ参照信号を含む）を送信する。送受信部２０３は、例えば、上述の第１−第３の態様におけるスケジューリングにしたがって、ＵＬ信号を送信してもよい。ＵＬ信号の送信にあたっては、スロット、ミニスロット単位で送信を行ってもよい。
【０１６７】
また、送受信部２０３は、上り共有チャネル（例えば、ＰＵＳＣＨ）又は上り制御チャネル（例えば、ショートＰＵＣＣＨ及び／又はロングＰＵＣＣＨ）を用いて、無線基地局１０に対して、ＵＣＩを送信する。
【０１６８】
また、送受信部２０３は、Ｍ個のＰＵＣＣＨリソースをそれぞれ含むＫ個のＰＵＣＣＨリソースセットを示す情報を受信してもよい。また、送受信部２０３は、上位レイヤ制御情報（上位レイヤパラメータ）を受信してもよい。
【０１６９】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１７０】
図２２は、本実施の形態に係るユーザ端末の機能構成の一例を示す図である。なお、図２２においては、本実施の形態における特徴部分の機能ブロックを主に示しており、ユーザ端末２０は、無線通信に必要な他の機能ブロックも有しているものとする。図２２に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１７１】
制御部４０１は、ユーザ端末２０全体の制御を実施する。制御部４０１は、例えば、送信信号生成部４０２によるＵＬ信号の生成や、マッピング部４０３によるＵＬ信号のマッピング、受信信号処理部４０４によるＤＬ信号の受信処理、測定部４０５による測定を制御する。
【０１７２】
また、制御部４０１は、無線基地局１０からの明示的指示又はユーザ端末２０における黙示的決定に基づいて、ユーザ端末２０からのＵＣＩの送信に用いる上り制御チャネルを制御する。また、制御部４０１は、当該ＵＣＩの送信を制御する。
【０１７３】
また、制御部４０１は、上り制御チャネル（例えば、ロングＰＵＣＣＨ及び／又はショートＰＵＣＣＨ）の構成（フォーマット）を制御してもよい。制御部４０１は、無線基地局１０からの制御情報に基づいて、当該上り制御チャネルのフォーマットを制御してもよい。また、制御部４０１は、フォールバックに関する情報に基づいて、ＵＣＩの送信に用いるＰＵＣＣＨフォーマット（上りリンク制御チャネルのフォーマット）を制御してもよい。
【０１７４】
また、制御部４０１は、上述の第１−第３の態様におけるＵＣＩ  ｏｎ  ＰＵＳＣＨ制御を行ってもよい。例えば、時分割複信（ＴＤＤ：Time  division  duplex）の下りリンク（ＤＬ）／上りリンク（ＵＬ）割り当て構成と、上りデータ送信に指定される複数スロット及び上り制御情報送信に指定される複数スロットの関係（マルチスロットスケジューリングによる指定）と、に基づいて、上りデータのチャネルを介した上り制御情報の送信を制御してもよい。
【０１７５】
制御部４０１は、前記上りデータ送信に指定される複数スロットと、前記上り制御情報送信に指定される複数スロットにおいて、一致したスロットが前記ＤＬ／ＵＬ割り当て構成におけるＵＬに対応する場合、前記一致したスロットにおいて、前記上りデータのチャネルを介して前記上り制御情報を送信するようにしてもよい。
【０１７６】
制御部４０１は、前記一致したスロットが、前記ＤＬ／ＵＬ割り当て構成におけるＵＬに対応しない場合、前記一致したスロット以降のスロットであって、前記ＤＬ／ＵＬ割り当て構成におけるＵＬに対応するスロットで、前記一致したスロットにおける上り制御情報を送信してもよい。
【０１７７】
制御部４０１は、前記一致したスロットが、前記ＤＬ／ＵＬ割り当て構成におけるＵＬに対応しない場合、前記一致したスロット以降のスロットで前記上り制御情報を送信しないようにしてもよい。
【０１７８】
制御部４０１は、前記上りデータ送信に指定される複数スロットの内の開始スロットと、前記上り制御情報送信に指定される複数スロット内の開始スロットとが一致しない場合、前記上りデータ及び前記上り制御情報のいずれか一方の送信のみを行ってもよい。
【０１７９】
制御部４０１は、本発明に係る技術分野での共通認識に基づいて説明されるコントローラ、制御回路又は制御装置から構成することができる。
【０１８０】
送信信号生成部４０２は、制御部４０１からの指示に基づいて、ＵＬ信号（ＵＬデータ信号、ＵＬ制御信号、ＵＬ参照信号、ＵＣＩを含む）を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０１８１】
マッピング部４０３は、制御部４０１からの指示に基づいて、送信信号生成部４０２で生成されたＵＬ信号を無線リソースにマッピングして、送受信部２０３へ出力する。マッピング部４０３は、本発明に係る技術分野での共通認識に基づいて説明されるマッパー、マッピング回路又はマッピング装置とすることができる。
【０１８２】
受信信号処理部４０４は、ＤＬ信号（ＤＬデータ信号、スケジューリング情報、ＤＬ制御信号、ＤＬ参照信号）に対して、受信処理（例えば、デマッピング、復調、復号など）を行う。受信信号処理部４０４は、無線基地局１０から受信した情報を、制御部４０１に出力する。受信信号処理部４０４は、例えば、報知情報、システム情報、ＲＲＣシグナリングなどの上位レイヤシグナリングによる上位レイヤ制御情報、物理レイヤ制御情報（Ｌ１／Ｌ２制御情報）などを、制御部４０１に出力する。
【０１８３】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１８４】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０１８５】
測定部４０５は、本発明に係る技術分野での共通認識に基づいて説明される信号処理器、信号処理回路又は信号処理装置、並びに、測定器、測定回路又は測定装置から構成することができる。
【０１８６】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１８７】
例えば、本発明の一実施形態における無線基地局、ユーザ端末などは、本発明の無線通信方法の処理を行うコンピュータとして機能してもよい。図２３は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１８８】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１８９】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１９０】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１９１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１９２】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１９３】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１９４】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１９５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１９６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１９７】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１９８】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１９９】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２００】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０２０１】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２０２】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２０３】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２０４】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２０５】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２０６】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２０７】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２０８】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２０９】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２１０】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２１１】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２１２】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２１３】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１４】
また、情報、信号などは、上位レイヤから下位レイヤ、及び／又は下位レイヤから上位レイヤへ出力され得る。情報、信号などは、複数のネットワークノードを介して入出力されてもよい。
【０２１５】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２１６】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２１７】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２１８】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２１９】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２２０】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２１】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２２２】
本明細書において使用する「システム」及び「ネットワーク」という用語は、互換的に使用され得る。
【０２２３】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、送受信ポイント、フェムトセル、スモールセルなどの用語で呼ばれる場合もある。
【０２２４】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２２５】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２２６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２２７】
基地局及び／又は移動局は、送信装置、受信装置などと呼ばれてもよい。
【０２２８】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２２９】
同様に、本明細書におけるユーザ端末は、無線基地局で読み替えてもよい。この場合、上述のユーザ端末２０が有する機能を無線基地局１０が有する構成としてもよい。
【０２３０】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３１】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２３２】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２３３】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３４】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２３５】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３６】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２３７】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２３８】
本明細書において、「ＡとＢが異なる」という用語は、「ＡとＢが互いに異なる」ことを意味してもよい。「離れる」、「結合される」などの用語も同様に解釈されてもよい。
【０２３９】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２４０】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019155641.tif 000003
【図２】
2019155641.tif 000004
【図３】
2019155641.tif 000005
【図４】
2019155641.tif 000006
【図５】
2019155641.tif 000007
【図６】
2019155641.tif 000008
【図７】
2019155641.tif 000009
【図８】
2019155641.tif 000010
【図９】
2019155641.tif 000011
【図１０】
2019155641.tif 000012
【図１１】
2019155641.tif 000013
【図１２】
2019155641.tif 000014
【図１３】
2019155641.tif 000015
【図１４】
2019155641.tif 000016
【図１５】
2019155641.tif 000017
【図１６】
2019155641.tif 000018
【図１７】
2019155641.tif 000019
【図１８】
2019155641.tif 000020
【図１９】
2019155641.tif 000021
【図２０】
2019155641.tif 000022
【図２１】
2019155641.tif 000023
【図２２】
2019155641.tif 000024
【図２３】
2019155641.tif 000025
【国際調査報告】
2019155641.tif 000026
2019155641.tif 000027
2019155641.tif 000028
2019155641.tif 000029